(57)【要約】      （修正有）【課題】容器に対する仕切体の配設位置の自由度を高め、使い勝手を向上した冷蔵庫を提供する。【解決手段】貯蔵室と、貯蔵室内に設けられる上面に開口する容器９０と、容器９０の周壁９１に取り付けられる仕切体１００とを備える冷蔵庫において、仕切体１００は、周壁９１の上端部に上方から差し込まれて周壁９１に取り付けられる挟持部１０１と、挟持部１０１から突出して容器９０内を仕切る仕切部１０２とを備える。【選択図】図４
2020098094.tif 000002
【特許請求の範囲】
【請求項１】
貯蔵室と、前記貯蔵室内に設けられる上面に開口する容器と、前記容器の周壁に取り付けられる仕切体とを備える冷蔵庫において、
前記仕切体は、前記周壁の上端部に上方から差し込まれて前記周壁に取り付けられる挟持部と、前記挟持部から突出して前記容器内を仕切る仕切部とを備える冷蔵庫。
【請求項２】
前記挟持部は、前記周壁を挟持する一対の挟持板を備え、
前記一対の挟持板の少なくとも一方の先端部には、先端に行くほど他方の挟持板から離れるように傾斜するテーパ部を備える請求項１に記載の冷蔵庫。
【発明の詳細な説明】
【技術分野】
【０００１】
本実施形態は、冷蔵庫に関する。
【背景技術】
【０００２】
冷蔵庫では、冷蔵室や野菜室などのように内部温度が冷蔵温度に冷却される冷蔵貯蔵室や、冷凍室や製氷室などのように内部温度が冷凍温度に冷却される冷凍貯蔵室が設けられ、これらの貯蔵室の内部に容器が配置されていることがある。
【０００３】
貯蔵室に設けられた容器では、袋入りあるいは箱入りの冷凍食品や、ペットボトルあるいはビン類や、白菜などの大物野菜等を立てて収納することで、容器に収容された貯蔵物が見つけ出しやすくなるとともに貯蔵物の出し入れが容易になる。
【０００４】
そこで、立てて収納された貯蔵物が転倒するのを防止する仕切体を容器に設け、使い勝手を向上させた冷蔵庫が提案されている（例えば、下記特許文献１）。
【先行技術文献】
【特許文献】
【０００５】
【特許文献１】特開２０１０−９１２４９号
【発明の概要】
【発明が解決しようとする課題】
【０００６】
上記した仕切体では、使い勝手を考慮して容器に対して取付位置を変更できるように着脱可能に設けられているが、更なる使い勝手の向上が望まれている。そこで、容器に対する仕切体の配設位置の自由度を高め、使い勝手を向上した冷蔵庫を提供することを目的とする。
【課題を解決するための手段】
【０００７】
本実施形態の冷蔵庫は、貯蔵室と、前記貯蔵室内に設けられる上面に開口する容器と、前記容器の周壁に取り付けられる仕切体とを備える冷蔵庫において、前記仕切体は、前記周壁の上端部に上方から差し込まれて前記周壁に取り付けられる挟持部と、前記挟持部から突出して前記容器内を仕切る仕切部とを備えるものである。
【図面の簡単な説明】
【０００８】
【図１】第１実施形態に係る冷蔵庫の断面図である。
【図２】図１の冷蔵庫の冷凍サイクルを示す図である。
【図３】図１の要部を拡大して示す断面図である。
【図４】下段収納容器の斜視図である。
【図５】下段大容器の平面図である。
【図６】仕切体の斜視図である。
【図７】図５のＡ−Ａ断面図である。
【図８】図５のＢ−Ｂ断面図である。
【発明を実施するための形態】
【０００９】
以下、図面に基づいて本発明の第１実施形態について説明する。
【００１０】
本実施形態に係る冷蔵庫１０は、図１に示すように、鋼板からなる外箱１２と貯蔵空間を形成する内箱１４との間に断熱空間１３を設けたキャビネット１６を備える。
【００１１】
内箱１４の内方に形成された貯蔵空間は、断熱仕切壁１７によって上方の冷蔵空間２０と下方の冷凍空間４０とに区画されている。
【００１２】
冷蔵空間２０は、冷蔵温度（例えば、２〜３℃）に冷却される空間であって、内部がさらに仕切壁２１によって上下に区画され、仕切壁２１の上方に複数段の載置棚を設けた冷蔵室２２が設けられ、仕切壁２１の下方に野菜室２４が設けられている。
【００１３】
断熱仕切壁１７を介して野菜室２４の下方に配置した冷凍空間４０は、冷凍温度（例えば、−１８℃以下）に冷却される空間であって、自動製氷機を備えた製氷室と小型冷凍室４６とが左右に併設され、その下方に仕切壁４９を介して冷凍室５０が設けられている。
【００１４】
冷蔵室２２の開口部は、キャビネット１６の一側部の上下に設けられたヒンジにより回動自在に枢支された冷蔵室扉２３により閉塞されている。
【００１５】
野菜室２４、製氷室、小型冷凍室４６及び冷凍室５０の開口部は、引き出し式の扉２５，４７，５１により閉塞されている。各扉２５，４７，５１の裏面側に固着した左右一対の支持枠には、収納容器２６，４８，５２が保持されており、開扉動作とともに庫外に引き出されるように構成されている。なお、冷凍室５０に設けられた収納容器５２については後から詳細に説明する。
【００１６】
冷蔵空間２０の後部には、冷蔵空間２０内の空気を冷却する冷蔵用冷却器６２と冷蔵用冷却器６２で冷却された冷気を冷蔵室２２及び野菜室２４へ送風する冷蔵用ファン６３とを収納する冷蔵用冷却室２８が設けられている。また、冷凍空間４０の後部には、冷凍空間４０内の空気を冷却する冷凍用冷却器６４と冷凍用冷却器６４で冷却された冷気を製氷室と小型冷凍室４６と冷凍室５０へ送風する冷凍用ファン６５とを収納する冷凍用冷却室７１が設けられている。
【００１７】
冷蔵用冷却器６２及び冷凍用冷却器６４は、キャビネット１６の背面下部に設けられた機械室１９内に収納された圧縮機６１や凝縮器６６とともに冷凍サイクル６０を構成する。
【００１８】
冷凍サイクル６０は、図２に示すように、高温高圧のガス状の冷媒を吐出する圧縮機６１と、圧縮機６１から吐出されるガス状の冷媒を受けて放熱液化する凝縮器６６と、凝縮器６６の出口側に設けられ冷媒流路を切り換える切替弁６７と、冷蔵用冷却器６２及び冷凍用冷却器６４と、これらの冷却器６２，６４のための絞り手段としての冷蔵用減圧装置６８及び冷凍用減圧装置６９と、逆止弁７０とを備え、これらを冷媒パイプによって配管接続することで、圧縮機６１から吐出された冷媒を循環させて冷蔵用冷却器６２及び冷凍用冷却器６４を冷却する。
【００１９】
冷蔵用冷却室２８は、図１に示すように、冷蔵室２２の背面に設けられた背面ダクト２７に接続されており、冷蔵用ファン６３の回転により冷蔵用冷却器６２で冷却された空気が、背面ダクト２７の下端から上端へ上方に向けて流れ込み、冷蔵室２２の背面に設けられた吹出口２９から冷蔵室２２内へ吹き出す。冷蔵室２２へ吹き出した空気は、冷蔵室２２内を流れた後、一部が仕切壁２１に設けられた吸込口３０から冷蔵用冷却室２８に戻り、他の一部が仕切壁２１に穿設された不図示の導入口を通って野菜室２４へ流れ込み野菜室２４内を流れた後、野菜室２４の背面に設けられた吸込口３１から冷蔵用冷却室２８に戻る。
【００２０】
冷凍用冷却室７１は、製氷室及び小型冷凍室４６の背面に設けられた吹出口７２に連通するとともに、第１吹出ダクト７４、第２吹出ダクト７５及び吸込ダクト７６が接続されている。
【００２１】
第１吹出ダクト７４は、冷凍室５０の上面を構成する仕切壁４９の内部に設けられ、仕切壁４９の後部に設けられた第１吹出口７７と冷凍用冷却室７１とを連結している。
【００２２】
第２吹出ダクト７５及び吸込ダクト７６は、冷凍室５０の背面に設けられた冷凍用冷却器６４の前面を覆うカバー体７８の内部に設けられ、冷凍室５０の背面に開口する第２吹出口７９及び冷凍側吸込口８０と冷凍用冷却室７１とを連結している。
【００２３】
そして、冷凍用冷却器６４で冷却された空気は、冷凍用冷却室７１内の冷凍用ファン６５の回転により、吹出口７２から製氷室４２及び小型冷凍室４６内へ吹き出すとともに、第１吹出ダクト７４及び第２吹出ダクト７５を通って第１吹出口７７及び第２吹出口７９から冷凍室５０内へ吹き出す。
【００２４】
吹出口７２から製氷室及び小型冷凍室４６内へ吹き出した空気は、製氷室及び小型冷凍室４６の内部を冷却しながら流れ、冷凍仕切壁４９に穿設された不図示の導入口を通って冷凍室５０へ流れ込む。製氷室及び小型冷凍室４６から冷凍室５０へ流れ込んだ空気は、第１吹出口７７や第２吹出口７９から冷凍室５０へ吹き出した空気とともに冷蔵室２２内を流れた後、収納容器５２と冷凍室５０との間で形成される戻り流路８５を通って冷凍側吸込口８０から冷凍用冷却室７１に戻る。
【００２５】
上記構成の冷蔵庫１０において、冷凍室５０の内部に配設される収納容器５２は、図３に示すように、下段大容器５３と、下段大容器５３の上方に設けられた上段容器５４とを備えた上下２段に重なり合う構造をなしている。
【００２６】
下段大容器５３は、図４及び図５に示すように、前方壁、後方壁、左右側壁によって囲まれた上方に開口する有底の箱状をなしており、上段容器５４に比べて下段大容器５３の収容深さが深く設けられている。下段大容器５３は、冷凍室扉５１の裏面側に固着された左右一対の支持枠に保持され、冷凍室扉５１の開扉動作とともに庫外へ引き出されるように構成されている。この下段大容器５３の内部には、小容器９０と、小容器９０に着脱自在に取り付けられた仕切体１００が収納されている。
【００２７】
上段容器５４は、前方壁、後方壁、左右側壁によって囲まれた上方に開口する有底の箱状をなしており、下段大容器５３の左右側壁の上端に載置されている。上段容器５４は、透明樹脂材で成形され上段容器５４を通して下段大容器５３の内部が上方より目視できるように構成されている。
【００２８】
上段容器５４は、冷凍室扉５１が閉扉された状態から開扉され下段大容器５３が庫外へ引き出されると、下段大容器５３の上面を覆った状態で下段大容器５３とともに庫外へ引き出される。また、下段大容器５３の上面を覆った上段容器５４は、下段大容器５３の左右側壁の上端を後方へ摺動することで、下段大容器５３の上面開口を開放する。
【００２９】
小容器９０は、この例では、前方壁、後方壁、左右側壁によって囲まれた上方に開口する有底の箱状をなしており、下段大容器５３内部に取り外し可能に収納されている。小容器９０は、下段大容器５３の前後方向のほぼ全体にわたって設けられており、下段大容器５３の前後壁に案内され幅方向に摺動移動可能に下段大容器５３内に収納されている。このような小容器９０は、内部に貯蔵品を収容する空間を区画するとともに、小容器９０の外部、つまり、小容器９０の左右側壁９１と下段大容器５３の左右側壁５５との間にも貯蔵品を収容する空間を区画する。
【００３０】
小容器９０の左右側壁９１には、小容器９０の内部及び外部を仕切る仕切体１００が着脱可能に取り付けられる。
【００３１】
具体的には、図７及び図８に示すように、小容器９０の左右側壁９１の上端部には、板厚が他の部分より大きな肉厚部９２と、肉厚部９２の下方に肉厚部９２より板厚が薄くなるように左右側壁９１の外面から小容器９０の内方へ陥没する凹部９３とが、前後方向に沿って設けられている。
【００３２】
肉厚部９２は、凹部９３に向かうほど（つまり、下方に行くほど）左右側壁９１の外面及び内面が互いに離れる方向へ傾斜する肉厚部傾斜面９２ａ、９２ｂをなしている。左右側壁９１の外面及び内面に設けられた肉厚部傾斜面９２ａ、９２ｂは、上下方向に対する傾斜角度が同じ角度に設けられている。
【００３３】
凹部９３は、肉厚部９２側（つまり、上側）が肉厚部９２から凹部底面９３ａへ向かうほど（つまり、下方へ向かうほど）左右側壁９１の板厚が漸次小さくなるように傾斜する凹部傾斜面９３ｂをなしている。
【００３４】
仕切体１００は、図６に示すように、小容器９０の周壁、この例では、左右側壁９１を挟持する挟持部１０１と、挟持部１０１から突出し小容器９０の内部あるいは外部を仕切る平板状の板部１０２とを備える。
【００３５】
挟持部１０１は、小容器９０の左右側壁９１の板厚に対応する間隔をあけて略平行に設けられた一対の挟持板１０３，１０４を上端で連結した断面形状が下方に開口する略コ字状をなしている。挟持部１０１は、下方の開口部から小容器９０の左右側壁９１の上端が挿入され、一対の挟持板１０３，１０４において左右側壁９１の外面及び内面と対向する一対の対向面１０３ａ、１０４ａが左右側壁９１の上端部を挟持することで、仕切体１００を左右側壁９０に固定する。
【００３６】
より詳細には、挟持板１０３、１０４がそれぞれ有する一対の対向面１０３ａ，１０４ａには、内方に向けて突出する突部１０３ｂ，１０４ｂが互いに相対向する位置に設けられている。突部１０３ｂと突部１０４ｂとの間隔は、小容器９０の左右側壁９１の上端部に設けられた凹部９３の板厚より小さく設けられている。
【００３７】
突部１０３ｂ，１０４ｂは、左右側壁９１を挟んで対称な形状をなしており、この例では、挟持部１０１全体にわたって前後方向に沿って延びる突条形状をしている。
【００３８】
挟持板１０３，１０４の一方（この例では、挟持板１０４）には、小容器９０の内部空間や外部空間を前後に仕切る板部１０２が、外側面（対向面１０４ａと反対の面）から垂直に立設し、挟持板１０３，１０４の他方（この例では、挟持板１０３）の下端部には、一方の挟持板１０４から離れるように外方へ折れ曲がる手掛け部１０５が設けられている。
【００３９】
板部１０２の大きさは、例えば、上下方向の寸法が小容器９０の深さより小さく、かつ、挟持板１０４からの突出寸法が小容器９０の幅方向の内法寸法より小さく設定されている。また、下段大容器５３に対する板部１０２及び小容器９０の大きさは、例えば、板部１０２の挟持板１０４からの突出寸法の２倍の長さと、小容器９０の幅方向の外法寸法とを合わせた合計の長さが、下段大容器５３の幅方向の内法寸法より小さくなるように各種
寸法が設定されている。
【００４０】
板部１０２が小容器９０の内部に位置するように小容器９０の左右側壁９１に仕切体１００を取り付けるには、板部１０２が設けられた一方の挟持板１０４の対向面１０４ａを左右側壁９１の内面と対向させ、他方の挟持板１０３の対向面１０３ａを左右側壁９１の外面と対向させて、小容器９０の左右側壁９１の上端部を一対の挟持板１０３，１０４の間に挿入する。突部１０３ｂと突部１０４ｂとの間隔は、左右側壁９１の凹部９３の位置における板厚より小さく設けられており、小容器９０の左右側壁９１によって挟持板１０３，１０４が押し広げられているため、他方の挟持板１０３の対向面１０３ａに設けられた突部１０３ｂが小容器９０の左右側壁９１の外面に設けられた凹部９３に達すると、対向面１０３ａから突出する突部１０３ｂが左右側壁９１に設けられた凹部９３と上下方向に係止し、挟持部１０１が左右側壁９１から上方へ抜け出るのを防止しつつ、挟持板１０３の対向面１０３ａと挟持板１０４の突部１０４ｂとの間で左右側壁９１を挟持し、小容器９０の内部に板部１０２を位置させた状態で左右側壁９１に仕切体１００が固定される（図７参照）。
【００４１】
また、板部１０２が小容器９０の外部に位置するように小容器９０の左右側壁９１に仕切体１００を取り付けるには、板部１０２が設けられた一方の挟持板１０４の対向面１０４ａを左右側壁９１の外面と対向させ、他方の挟持板１０３の対向面１０３ａを左右側壁９１の内面と対向させて、小容器９０の左右側壁９１の上端部を一対の挟持板１０３，１０４の間に挿入する。突部１０３ｂと突部１０４ｂとの間隔は、左右側壁９１の凹部９３の位置における板厚より小さく設けられており、小容器９０の左右側壁９１によって挟持板１０３，１０４が押し広げられているため、一方の挟持板１０４の対向面１０４ａに設けられた突部１０４ｂが小容器９０の左右側壁９１の外面に設けられた凹部９３に達すると、対向面１０４ａから突出する突部１０４ｂが左右側壁９１に設けられた凹部９３と上下方向に係止し、挟持部１０１が左右側壁９１から上方へ抜け出るのを防止しつつ、挟持板１０４の対向面１０４ａと挟持板１０３の突部１０３ｂとの間で左右側壁９１を挟持し、小容器９０の外部に板部１０２を位置させた状態で左右側壁９１に仕切体１００が固定される（図８参照）。
【００４２】
以上のような本実施形態では、板部１０２が小容器９０の内部と外部に位置するように挟持部１０１が小容器９０の左右側壁９１に着脱可能に取り付けられるため、小容器９０に対する仕切体１００の配設位置の自由度が高く使い勝手に優れている。
【００４３】
また、本実施形態では、小容器９０の左右側壁９１に設けられた凹部９３は、左右側壁９１に沿って前後方向に設けられているため、挟持板１０３が挟持板１０４から離れるように手掛け部１０５を外方に引っ張り挟持部１０１による左右側壁９１の挟持力を弱めた状態で挟持部１０１を前後方向へ押圧すると、対向面１０３ａの突部１０３ｂが左右側壁９１の凹部９３に沿って前後方向に摺動して仕切体１００の取付位置を簡便に変更することができる。
【００４４】
なお、凹部９３を左右側壁９１の前後方向全体にわたって設け、左右側壁９１の前後方向の任意の位置に仕切体１００を取り付け可能としたり、凹部９３を左右側壁９１の前後方向の一部に設け、左右側壁９１の所定位置に仕切体１００を取り付け可能としたり、凹部９３を設ける前後方向の位置は、任意の位置及び範囲に設定することができるが、左右側壁９１に設けた凹部９３の前端及び後端に仕切体１００を取り付けた時に仕切体１００の板部１０２と下段大容器５３の前方壁及び後方壁との間に冷凍食品などの貯蔵品が収納可能な空間、例えば、前後方向に２〜５ｃｍ程度の空間が形成されることが好ましい。
【００４５】
また、本実施形態では、板部１０２の挟持板１０３からの突出寸法の２倍の長さと、小容器９０の幅方向の外法寸法とを合わせた合計の長さが、下段大容器５３の幅方向の内法寸法より小さくなるように各種寸法が設定され、図４に例示するように小容器９０の左側壁９１と右側壁９１の外方へ板部１０２が突出するように仕切体１００を取り付けて小容器９０の左右に形成された空間を仕切ることができるため、小容器９０と仕切体１００によって下段大容器５３内部を様々な大きさに区画することができ、使い勝手を向上することができる。
【００４６】
また、本実施形態では、仕切体１００に設けられた突部１０３ｂ、１０４ｂが、下方へ向かうほど左右側壁９１の板厚が漸次小さくなるように傾斜する凹部傾斜面９３ｂを備えた凹部９３と係止するため、使用者が仕切体１００を取り外す際に挟持板１０３，１０４の突部１０３ｂ，１０４ｂが小容器９０の左右側壁９１の肉厚部９２と干渉しにくくなり、仕切体１００を小容器９０からスムーズに取り外すことができるとともに、突部１０３ｂ、１０４ｂと凹部９３の摺動抵抗が大きくなるため、不用意に仕切体１００が前後方向に移動するのを防ぐことができる。
【００４７】
（変更例１）
上記した実施形態では、小容器９０の周壁（左右側壁９１）の外面に凹部９３を設け、仕切体１００の一対の対向面１０３ａ、１０４ａにそれぞれ突部１０３ｂ、１０４ｂを設ける場合について説明したが、例えば、小容器９０の周壁の内面に凹部を設け、仕切体１００の一対の対向面１０３ａ、１０４ａにそれぞれ突部を設けたり、小容器９０の周壁の内面及び外面にそれぞれ凹部を設け、仕切体１００の一対の対向面１０３ａ、１０４ａのいずれか一方のみに突部を設けたり、小容器９０の周壁の内面及び外面のいずれか一方に突部を設け、仕切体１００の一対の対向面１０３ａ、１０４ａのそれぞれに凹部を設けたり、小容器９０の周壁の内面及び外面にそれぞれ突部を設け、仕切体１００の一対の対向面１０３ａ、１０４ａのいずれか一方に凹部を設けたり、小容器９０の周壁の内面及び外面にそれぞれ突部あるいは凹部を設け、仕切体１００の一対の対向面１０３ａ、１０４ａのそれぞれに凹部あるいは突部を設けてもよい。これらの場合であっても、板部１０２が小容器９０の内部と外部に位置するように仕切体１００を小容器９０の周壁に着脱可能に取り付けることができる。
【００４８】
（変更例２）
上記した実施形態では、下段大容器５３の内法寸法に比べて小容器９０の幅方向の外法寸法を小さく設け、小容器９０の周壁として左右側壁９１に仕切体１００を取り付ける場合について説明したが、小容器９０の前後方向の外法寸法を下段大容器５３の内法寸法より小さく設け、小容器９０の前方壁や後方壁に仕切体１００を取り付けても良い。
【００４９】
（変更例３）
上記した実施形態では、冷凍室５０に設けられた下段大容器５３に収納された小容器９０に仕切体１００を取り付ける場合について説明したが、例えば、冷凍室５０に収納された上段容器５４の内部に小容器を設けてその小容器に仕切体を設けたり、あるいは、野菜室２４に収納した収納容器２６の内部に小容器を設けてその小容器に仕切体を設けてもよい。
【００５０】
（変更例４）
上記した実施形態では仕切体１００を取り付ける小容器９０が、下段大容器５３内に移動可能で、かつ、下段大容器５３から取り外し可能に設けられている場合について説明したが、下段大容器５３に固定された仕切壁によって下段大容器５３内を区画する場合のように、小容器９０が下段大容器５３に固定されていてもよい。
【００５１】
（他の実施形態）
上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００５２】
１０…冷蔵庫、５０…冷凍室、５２…収納容器、５３…下段大容器、５４…上段容器、５５…左右側壁、７１…冷凍用冷却室、９０…小容器、９１…左右側壁、９２…肉厚部、９２ａ…肉厚部傾斜面、９３…凹部、９３ａ…凹部底面、９３ｂ…凹部傾斜面、１００…仕切体、１０１…挟持部、１０２…板部、１０３…挟持板、１０３ａ…対向面、１０３ｂ…突部、１０４…挟持板、１０４ａ…対向面、１０４ｂ…突部、１０５…手掛け部
【図１】
2020098094.tif 000003
【図２】
2020098094.tif 000004
【図３】
2020098094.tif 000005
【図４】
2020098094.tif 000006
【図５】
2020098094.tif 000007
【図６】
2020098094.tif 000008
【図７】
2020098094.tif 000009
【図８】
2020098094.tif 000010